(57)【要約】【課題】ガラス板が外表面に大きく表れ、従来にない開放的な印象を与えるとともに、全体構造が比較的簡単で、安価に提供することができるオーブントースタ用の扉構造を提供する。【解決手段】開放されたオーブントースタ本体の前面に開閉自在に設けられる扉２を、方形枠状の扉枠３と、扉枠３に装着するガラス板４と、押え金具５とで構成する。扉枠３は、ガラス板４内表面の周辺を支持する窓枠形状とするとともに、少なくとも三辺においてガラス板の面方向の移動を阻止する立ち上がり片６，６を形成する。扉枠３の左右両側に形成した立ち上がり片６によってガラス板４の左右方向の移動を阻止するとともに、下端の立ち上がり片を樋形に形成してガラス板４の下端を支受する。ガラス板の上端は、押え金具５によって固定する。【選択図】  図１
2004354006.tif 000002
【特許請求の範囲】
【請求項１】
開放されたオーブントースタ本体の前面に開閉自在に設けられる扉を、方形枠状の扉枠と、扉枠に装着するガラス板と、押え金具とで構成し、
前記扉枠は、ガラス板内表面の周辺を支持する窓枠形状とするとともに、該窓枠形状の少なくとも三辺においてガラス板の面方向の移動を阻止する立ち上がり片を形成するとともに、ガラス板の面方向の移動が阻止されない辺に押え金具を配置することによって、ガラス板の面方向の移動と扉枠からの脱落を阻止することを特徴とするオーブントースタの扉構造。
【請求項２】
三辺に形成する立ち上がり片は、ガラス板の周縁を支持するものであってガラス板の前面を大きく覆うものでなく、扉外表面の大半がガラス板によって平面的に形成されることを特徴とする請求項１記載のオーブントースタの扉構造。
【請求項３】
三辺に形成する立ち上がり片のうち、対向する二辺の立ち上がり片はガラス板の外表面に折り返さず、残り一辺の立ち上がり片にガラス板外表面への折り返し部を形成してガラス板を抱持させ、該外表面への折り返し部を形成した辺と対向する辺に押え金具を配置し、該押え金具によってガラス板の押え金具方向への移動を阻止するとともに、その一部をガラス板の外表面に係合させることによってガラス板の脱落を防止することを特徴とする請求項１又は２記載のオーブントースタの扉構造。
【請求項４】
押え金具は、ガラス板の一辺に沿って平行に配置し、その一部でガラス板の外表面を覆うとともに、ガラス板を覆っている押え金具の一部を直角に折曲し、該折曲部分によってガラス板の端面を支受するものである請求項１ないし３のいずれかに記載のオーブントースタの扉構造。
【請求項５】
押え金具は、ガラス板の一辺の全長に沿って配置される長さであってその両端に折り返し端面を備え、該折り返し端面に係止孔もしくは突起を形成するとともに、扉枠の立ち上がり片に前記係止孔もしくは突起に係合する突起もしくは係止孔を形成することによって押え金具の位置決めを行なう請求項１ないし４のいずれかに記載のオーブントースタの扉構造。
【請求項６】
押え金具の外表面に把手を配置し、把手と押え金具と扉枠の三者を取り付けネジによって固定することを特徴とする請求項１ないし５のいずれかに記載のオーブントースタの扉構造。
【請求項７】
窓枠状に形成する扉枠の内周に沿って、前方に向けて高くなる段部を形成し、該段部にガラス板の内表面を支受させたことを特徴とする請求項１ないし６のいずれかに記載のオーブントースタの扉構造。
【発明の詳細な説明】
【０００１】
【発明の属する技術分野】
この発明は、通常下端部を中心として回動してトースター本体の前面を開閉する、オーブントースタの扉構造に関する発明である。
【０００２】
【従来の技術】
オーブントースタの扉は、調理物の調理状態を見ることができるように、ガラス板を嵌め込んだ窓枠状に形成されている。この扉は、特許文献１にも開示されているように、前後に配置する金属製の枠体でガラス板を挟み込むことによって窓枠状に形成し、該金属製の枠体から側方に本体に支持させるための支持軸を突出させている。すなわち、図７に示すように、外面の枠体Ａと、内面の枠体Ｂでガラス板Ｃを挟み込むとともに、なおかつガラス板が面方向に盲動しないように固定構造Ｄを内部に備えるものであった。さらに、洗浄その他の目的のために扉を着脱自在とするものでは、扉の側面に配置する支持軸のうち、少なくとも一方の支持軸を出没自在とする構造を備えている。
【０００３】
【特許文献１】
特開平８−４６６号公報（図４参照）
【０００４】
【発明が解決しようとする課題】
従来のオーブントースタの扉は、内外両面から金属製の枠でガラス板を挟み込む構造であるため、内部構造を含め全体の構造が複雑でありコスト高と成っている。また、重く取り扱いにくいとともに中空構造であるため、これを洗浄する場合は、その内部に水が浸入し、内部に溜まってしまうために水洗いに適していないという欠点があった。また、扉全体が板金の組立て構造であるため、ふきんなどで扉を拭き取る場合にも引っ掛かり易く、さらに埃やパン屑が溜まり易いという欠点もあった。
【０００５】
上記、従来技術の欠点に鑑み本発明は、構造が比較的簡単であって安価に製造することができるオーブントースタ用の扉構造を提供することを目的とするものである。さらに、扉外表面の大半にガラス板の外表面が表れ、従来のオーブントースタにはない開放的な印象を与えるとともに、従来のオーブントースタ用の扉構造のように中空構造ではなく、その内部に丸洗いを行っても水抜けの良いオーブントースタ用の扉構造を提供することを目的とするものである。
【０００６】
【課題を解決するための手段】
本発明は、上記目的を達成するため開放されたオーブントースタ本体１の前面に開閉自在に設けられる扉２を、方形枠状の扉枠３と、扉枠３に装着するガラス板４と、ガラス板４を押庄固定するための押え金具５とで構成する。
前記扉枠３は、ガラス板４内表面の周辺を支持する窓枠形状とするとともに、窓枠形状の少なくとも三辺においてガラス板４の面方向の移動を阻止する立ち上がり片６，６を形成する。さらに、ガラス板４の面方向の移動が阻止されていない辺に、面方向の移動と脱落を防止する押え金具５を配置する。これにより、ガラス板４を定位置に固定し、面方向の移動と扉枠３からの脱落を阻止する。
【０００７】
扉枠３の少なくとも三辺に形成する立ち上がり片６，６は、ガラス板４の周縁を支持するものであってガラス板４の前面を大きく覆うものでなく、扉外表面の大半がガラス板によって平面的に形成されるようにすることによって、外観上前面の大半にガラス面が表れ、ガラス面であるため凹凸が少なく、拭き取りなどの手入れを行い易い態様となる。
【０００８】
ガラス板４を扉枠３に固定する具体的な構造は、三辺に形成する立ち上がり片６，６のうち、対向する二辺の立ち上がり片（図面の左右側縁）はガラス板４の外表面には折り返さない。残り一辺の立ち上がり片（図面の下縁）にガラス板４外表面への折り返し部６ａを形成してガラス板４を抱持させる。ガラス板４の外表面への折り返し部６ａを形成した辺と対向する辺に押え金具５を配置し、この押え金具５によってガラス板の押え金具５方向への移動と、一部をガラス板の外表面に係合させることによってガラス板４の前方への脱落を防止する。より具体的には、押え金具５をガラス板４の一辺に沿って平行に配置し、その一部、すなわち突出部５ａでガラス板の外表面を覆うとともに、ガラス板を覆っている押え金具の一部を直角に折曲し、該折曲部５ｂによってガラス板４の端面を支受する。
【０００９】
その他、押え金具５はガラス板４の一辺の全長に沿って配置される長さであってその両端に折り返し端面５ｃを備え、折り返し端面５ｃに係止孔７もしくは突起を形成するとともに、扉枠の立ち上がり片６に前記係止孔７もしくは突起に係合する突起８もしくは係止孔を形成することによって、押え金具５の位置決めを行なうことができる。また、押え金具５の外表面に把手９を配置し、把手９と押え金具５と扉枠３の三者を取り付けネジ１０，１０によって能率的に固定することができる。さらに、窓枠状に形成する扉枠３の内周に沿って、前方に向けて高くなる段部１１を形成し、この段部１１にガラス板４の内表面を支受させることによってガラス板４を安定した状態にしっかりと固定することができるとともに、扉枠の強度を向上させることができる。なお、外表面方向に高くなる段部１１の内面側は凹所となるものであるが、方形に形成される段部の四隅をアール状に丸みを持たせて成型しておくことによって、埃やパン屑が溜まりにくく、かつ掃除のし易いものとなる。
【００１０】
【発明の実施の形態】
以下、本発明に係る、オーブントースタの扉構造の実施形態を、添付の図面に基づいて説明する。
図１は、本発明の実施形態に係るオーブントースタの扉のみの分解斜視図、図２はオーブントースタ全体の斜視図、図３はオーブントースタ全体の縦断面図である。
【００１１】
オーブントースタは、外ケース１ａの内部を遮熱板１ｂで囲むことによって加熱室１２を形成し、開放される前面に開閉自在の扉２を配置することによって加熱室を閉塞することができるようにしている。加熱室１２の内部には、その上下にヒータ１３，１３を配置するとともに、ヒータ１３，１３の間にパンなどの調理物を載置するための焼き網１４を配置している。焼き網１４は、扉２の開閉に連動させて、扉を開けたときに器外に引き出される。また、加熱室１２の底面には、屑受け皿２３を着脱自在に配置し、調理に伴って発生するパン屑などを、随時排出することができるようにしている。
【００１２】
開放されるオーブントースタ本体１の前面、すなわち加熱室１２の前面に設ける扉２は、図１に示すように方形枠状の扉枠３と、扉枠３に装着するガラス板４及び押え金具５とで構成している。扉枠３は、その全体形状を平面的な方形枠に形成し、四辺の外周縁に立ち上がり片６，６を形成している。四辺の立ち上がり片６，６のうち、左右側辺及び上辺の立ち上がり片は、枠の周縁を直角に折曲したのみであるが、下辺の立ち上がり片は、枠の周縁を直角に折曲するだけでなく、ガラス板４外表面への折り返し部６ａを形成している。すなわち、扉枠３の下端部を樋形に形成することによってガラス板４の下端部分を抱持させ、ガラス板４が扉枠３から前方に脱落するのを防止している。
【００１３】
図示例においては、扉枠３の上縁にも立ち上がり片６を形成しているが、ガラス板４を保持する上においては、必ずしも必要なものではない。しかしながら、扉枠３上辺の立ち上がり片６は、扉枠３の強度を向上させることと、押え金具５を安定的に配置する上においては有効である。すなわち、扉枠３の左右寸法はガラス板４の左右寸法とほぼ一致させ、左右の折り返し片６，６の間にガラス板が面方向に盲動しないように嵌め込む。これに対し、扉枠３の上下寸法はガラス板４の上下寸法よりも大きく形成している。したがって、余裕のある状態でガラス板を装着し、扉枠３の上辺部分に押え金具５を配置することによって、ガラス板４の上端部分を固定することができる。
【００１４】
押え金具５は、図４からも理解されるように、その断面形状を略Ｌ字状としている。断面略Ｌ字状とした押え金具５の上面５ｄは、扉枠の上辺の立ち上がり片６と当接もしくは接近する状態で挿入され、上面５ｄと直角に折曲された前面５ｅの先端部分である突出部５ａが、ガラス板４の上辺部分を押圧する。押え金具５の前面５ｅには、図１に示すように切り込みによって分割し、一部をさらに直角に折り返して折曲部５ｂを形成し、折曲部５ｂによってガラス板４の上端部分をしっかりと保持し、ガラス板４の面方向、すなわち上方への移動を阻止している。
【００１５】
前記、押え金具５の折曲部５ｂは、図１や図５に示す実施形態では、長寸法である押え金具５の中央部分であって、左右対称位置の二箇所に配置している。より具体的には、把手９を取り付けるための締め付け位置付近に、ガラス板４の上端縁を支受する折曲部５ｂを形成している。その理由は、押え金具５の突出部５ａ付近において押え金具５と扉枠３を締め付けると、その荷重がガラス板４に直接作用しガラス板４の破損などの問題を生じるが、ガラス板４の前面を押えていない部分において、押え金具と扉枠を締め付けると、ガラス板４は押え金具５によって弾性的に押圧され、より安定するためである。
【００１６】
押え金具５の左右両端部分には、例えば押え金具５の前面５ｅからの折返しによって、折り返し端面５ｃを形成している。そして、図６に示すように、折り返し端面５ｃに係止孔７を設けるとともに、扉枠３の立ち上がり片６に突起８を形成し、立ち上がり片６の突起８と押え金具５の係止孔７を係合させることによって、簡単かつ確実に押え金具５の位置決めを行なうことができるようにしている。立ち上がり片６に突起８を形成するには、図６に示すように、切り起こしによって簡単に形成することができる。
【００１７】
扉２は、その下端部を軸支するとともに、上部に把手９を設けることによって開閉することができるようにする。扉２に設ける把手９は、どのような構造であっても扉枠の上部に設けるものであればよいが、図示例では、押え金具５の上面に把手９を取り付けるようにしている。より具体的には、押え金具５の外表面に把手９を配置し、内表面側から挿入する取り付けネジ１０を用いて、把手９と押え金具５と扉枠３の三者を固定するようにしている。すなわち、押え金具５を貫通させて、扉枠３の内面側から取り付けネジ１０を挿入し、把手９に螺着することによって三者を同時に、しかも正確な位置関係で固定するものである。
【００１８】
このとき、押え金具５の表面には、把手９を正確な位置に支受させるために、貫通孔を中心として座１５を設けるとともに、把手９には座１５に嵌合するボス１６を突出させている。そのため、把手９は押え金具５に対してしっかりと位置決めされ、かつ扉枠３に対して取り付けネジ１０によって固定されるため、把手９と押え金具５と扉枠３の三者が強固に固定される。
【００１９】
窓枠状に形成する扉枠３の主体部分は、単なる平板状であってもよいが、図示実施形態の扉では、窓枠状に形成する扉枠３の内周に沿って、前方に向けて高くなる一定幅の段部１１を形成し、この段部１１にガラス板４の内表面を支受させるようにしている。扉枠３の主体部分を単なる平板状に形成するものでは、平板部分の歪みを避けることができないとともに、熱によって歪みが発生する。平面的に形成した扉枠３が歪むと、ガラス板４との間に隙間が発生することになり、この隙間に埃やパン屑などの食品屑、油分などが侵入することになり見栄えやお手入れの支障となる可能性がある。
【００２０】
これに対し、図示例のように、内周に沿って段部１１を形成し、この段部１１にガラス板４の内表面を支受させるようにしたものでは、第一に段部１１を形成することによって強度が増し、扉枠３を変形しにくいものとすることができる。第二に、平面的な扉枠３でガラス板４を支受する場合は、扉枠３の平面度の狂いがガラス板の浮き上がりとなって現れ、ガラス板の安定が悪く、かつ隙間が発生する可能性があるが、段部１１を形成し、この段部１１にガラス板４の内表面を支受させるものでは、ガラス板４と扉枠３が線接触に近い形で接触するため、取り付け状態を安定させることができる効果がある。
【００２１】
上記、方形に形成される段部１１は、プレス加工の段押しによって形成する。この際、段部１１の四隅は、図５に示すように、ある程度の大きさの丸みであるアール形状としている。このアール形状によって、扉２の内面に形成される段部に埃やパン屑が付着しても、隅々まで容易に拭き取ることができ、きわめて衛生的である。
【００２２】
なお本発明では、扉２が薄く形成される結果、支持軸の構造を扉の内部に形成することができない。そのため、図示実施形態では、図５に示すように扉枠３の内表面の左右両側に内方に向けて軸受け部１７，１７を突出形成し、この軸受け部１７，１７に長寸法の支持軸１８を装着している。すなわち、扉２は扉２の内表面に突出させた軸受け部１７に軸支するものであるため、軸受け部１７にまっすぐな棒状の軸を装着し、その先端をオーブントースタ本体１の側壁に軸支させると、扉２下端部の回転軌跡が大きくなる。このことは、扉を閉めたときに保持しておくべき隙間が大きくなることを意味する。そこで図示例では、支持軸１８の全体形状を略門形に形成し、外側方に折曲した先端部分を前記軸受け部１７に軸支させるとともに、門形に形成した支持軸１７の中間部分の左右両側を、オーブントースタ本体１内部の前端部分に配置した、左右一対の軸受け金具１９，１９によって支持して、軸受け金具１９による支持軸の軸支位置を前後方向に移動させることができるようにしている。これにより、扉２とオーブントースタ本体１との隙間をなるべく少なくすることができる。
【００２３】
本発明では、外表面、すなわち前面の大半がガラス板によって構成され、ガラス板４の内表面が扉枠３によって支持される。そのため、透明なガラス板４を透して扉枠３が見えることになる。その場合、扉枠３が直接見えるのが好ましくない場合は、ガラス板４の内表面又は外表面に適当な表示２１や模様２２を施しておくとよい。特に、ガラス板４の内表面に各種の記載を施しておくと、記載が汚れたり剥落することがなく、表面の透明感と相俟って従来にない意匠的に斬新なものとすることができる。
【００２４】
前記、扉２を開閉可能に支持する支持軸１８とは別に、支持軸１８よりも上方位置に焼き網支持杆２０を配置している。この焼き網支持杆２０は、前後方向に移動可能な焼き網１４の前端部に形成した係合部１４ａに引っ掛けている。このように、扉枠３に設けた焼き網支持杆２０を焼き網１４に連結させておくと、扉２の開閉に伴って焼き網２０がオーブントースタ本体１から出没し、調理物を容易に取り扱うことができる。焼き網の一部を扉に係合させ、焼き網を出没させる構造自体は公知であるが、図示例のように、焼き網１４の一部を針金で形成した焼き網支持杆２０で引っ掛けておく構造では、焼き網１４の着脱を容易に行うことができる。
【００２５】
【発明の効果】
請求項１記載の本発明のオーブントースタの扉構造によれば、扉全体の構造を薄く簡単な構造とすることができるため、製造が容易で安価に提供することができる。そして、扉枠は、ガラス板の内表面にのみ位置し、外表面にはガラス板を支持する枠がないため、外表面の拭き掃除なども容易である。また、扉を取り外して洗浄する場合にも、従来のオーブントースタの扉のように、その内部に水が浸入するといったことがなく清掃性のよいものとすることができる。
【００２６】
請求項２記載の発明によれば、請求項１に記載の効果に加え、特にガラス板の前面を覆う部分を少なくすることによって、従来にないガラス板のみによって構成する扉といった斬新なデザインを実現することができる。
【００２７】
請求項３記載の発明によれば、ガラス板が左右両側に移動しないように、立ち上がり片を設けた状態でガラス板の上下を、支持し、ガラス板が前方に脱落しないように保持させるため、ガラス板を扉枠に確実に保持させることができる。
【００２８】
請求項４記載の発明によれば、ガラス板の上辺部分に配置する一つの押え金具によって、ガラス板の上方への移動と前方への脱落を効果的に防止することができる。
【００２９】
請求項５記載の発明によれば、ガラス板を固定する押え金具自体の扉枠に対する位置決めを、簡単かつ確実に行わせることができる。
【００３０】
請求項６記載の発明によれば、扉枠に対する押え金具及び扉開閉のための把手の組み立てを効率的に行うことができるとともに、これらの位置関係を常に正確に維持することができる。
【００３１】
請求項７記載の発明によれば、扉枠自体の剛性を向上させて丈夫なものとすることができるとともに、ガラス板を安定良く固定することができる。そして、扉枠とガラス板の間に埃やパン屑が侵入することを防止することができ、段部の四隅を丸みのある状態に形成することによって、汚れを拭き取り易い構造とすることができる。
【図面の簡単な説明】
【図１】本発明に係るオーブントースタの扉のみの分解斜視図、
【図２】本発明に係る扉を装着したオーブントースタ全体の斜視図、
【図３】扉を開けた状態のオーブントースタの縦断面図、
【図４】一部を拡大表示した、扉のみの縦断面図、
【図５】扉を構成する扉枠と押え金具を内面側から見た斜視図、
【図６】扉枠と押え金具の係合部分の拡大断面図、
【図７】従来のオーブントースタの扉の一例を示す縦断面図。
【符号の説明】
１…オーブントースタ本体、  １ａ…外ケース、  １ｂ…遮熱板、  ２…扉、  ３…扉枠、  ４…ガラス板、  ５…押え金具、  ５ａ…突出部、  ５ｂ…折曲部、  ５ｃ…折り返し端面、  ５ｄ…上面、  ５ｅ…前面、  ６…立ち上がり片、  ６ａ…折り返し部、  ７…係止孔、  ８…突起、  ９…把手、  １０…取り付けネジ、  １１…段部、  １２…加熱室、  １３…ヒータ、  １４…焼き網、  １５…座、  １６…ボス、  １７…軸受け部、  １８…支持軸、  １９…軸受け金具、  ２０…焼き網支持杆、  ２１…表示、  ２２…模様、  ２３…屑受け皿。
【図１】
2004354006.tif 000003
【図２】
2004354006.tif 000004
【図３】
2004354006.tif 000005
【図４】
2004354006.tif 000006
【図５】
2004354006.tif 000007
【図６】
2004354006.tif 000008
【図７】
2004354006.tif 000009